(57)【要約】【課題】  水を吸収した基材の水分の気化熱で身体を保冷するという作用を発揮する保冷材において、基材に水を吸収させてもぬめりを生じないようにする。【解決手段】  ポリビニルアセタール系樹脂多孔質体でなる乾湿可逆性基材１を、疎水性の粗目ネットでなる保持材２に包み込み、その保持材２に、基材１を身体の保冷箇所に臨ませるための身体装着機能を持たせる。基材１が、界面活性剤を含有又は付着させたポリビニルアセタール系樹脂多孔質体でなることが望ましい。基材１を平板状に形成して保持材２に縫着しておく。【選択図】        図１
2006238918.tif 000002
【特許請求の範囲】
【請求項１】
ポリビニルアセタール系樹脂多孔質体でなる乾湿可逆性基材を、疎水性粗目ネットでなる保持材に包み込み、その保持材に、上記基材を身体の保冷箇所に臨ませるための身体装着機能を持たせてあることを特徴とする保冷具。
【請求項２】
上記基材は、織網物からなる芯地がポリビニルアセタール系樹脂多孔質体によって覆われて一体化された構造を有する請求項１に記載した保冷具。
【請求項３】
上記基材が平板状に形成されて上記保持材に縫着されている請求項１又は請求項２に記載した保冷具。
【請求項４】
上記基材が、平板状のポリビニルアセタール系樹脂多孔質体の積層体でなる請求項１ないし請求項３のいずか１項に記載した保冷具。
【請求項５】
上記基材が、界面活性剤を含有又は付着させたポリビニルアセタール系樹脂多孔質体でなる請求項１ないし請求項４のいずれか１項に記載した保冷具。
【請求項６】
疎水性粗目ネットが目開き１ｍｍ以上のポリエステル繊維からなる請求項１ないし請求項５のいずれか１項に記載した保冷具。
【請求項７】
上記保持材の持つ身体装着機能が、その保持材自体の端部によって形成される結束部、その保持材に装備された面状ファスナーなどの止め具、その保持材自体を環状に保形することによって形成される嵌め合わせ部、その保持材に連結された結束紐、その保持材に装備された挟着具から選ばれるいずれかによって発揮されるようになっている請求項１ないし請求項６のいずれか１項に記載した保冷具。
【発明の詳細な説明】
【技術分野】
【０００１】
本発明は、保冷具、特に人の身体の所定部位を避暑したり保冷したりすることに役立つ保冷具に関する。
【背景技術】
【０００２】
従来、この種の保冷具として、頭部に巻き付ける鉢巻きや頭部に被せるバンダナや三角巾に形成した袋部に保水性ポリマーを収納した保冷具が知られていた（特許文献１参照）。この特許文献１に記載されている保冷具は、保水性ポリマーに吸収させた水の気化熱によって身体を保冷するというものであって、身体の所定部位を保冷するのに便利に使用される。
【０００３】
【特許文献１】特開平８−２４７５９３号公報（図１、図２、図３、００１３）
【発明の開示】
【発明が解決しようとする課題】
【０００４】
しかしながら、上掲の特許文献１によって提案されている保冷具に用いられている保水性ポリマーは水を吸収してゲル状になる性質を有していて、それがゲル状になると、機械的強度が低いため圧迫で容易に形崩れを起こしてしまい、袋から漏れ出すおそれが高い。少しでも漏れると鉢巻きやバンダナなどの袋部にぬめりを付着させる。そのため、その保冷具を使用するときには、水に浸けて保水性ポリマーをゲル状にした後、鉢巻きやバンダナなどの袋部に付着したぬめりを完全に洗い落とすという面倒な予備作業を行い、そのような予備作業を行った後で余分な水分を搾り取って身体に装着することが必要になる。そして、ぬめりを完全に洗い落とすという予備作業を行うことが面倒であるために使用すること自体が面倒になり、その使用頻度が少なくなるといったことが懸念される。そこで、袋から漏れ出さないように目の細かい布地を使用すると、水分の蒸発が少なくなり、冷やす効果が著しく低下するおそれがある。
【０００５】
本発明は以上の状況の下でなされたものであり、水を吸収した基材からの気化熱で身体を保冷するという作用を発揮するという点や、その基材を身体装着機能を持った保持材に包み込んであるという点で上掲の特許文献１に記載されている保冷具と軌を一にしているけれども、水を吸収してもゲル状物質が漏れ出すおそれはなく、ぬめりを生じず、しかも、適度に水分が蒸発すると共に十分な含水量が確保されて長時間に亘って保冷効果を持続させることのできる基材を用いることによって、上記したようなぬめりを洗い落とすといった面倒な予備作業を行う必要のない保冷具を提供することを目的とする。
【０００６】
また、本発明は、乾燥している基材に短時間で十分な量の水を吸収させることのできる保冷具を提供することを目的とする。
【課題を解決するための手段】
【０００７】
本発明に係る保冷具は、ポリビニルアセタール系樹脂多孔質体でなる乾湿可逆性基材を、疎水性の粗目ネットでなる保持材に包み込み、その保持材に、上記基材を身体の保冷箇所に臨ませるための身体装着機能を持たせてある。
【０００８】
この構成であると、水を吸収する基材としてのポリビニルアセタール系樹脂多孔質体が、優れた吸水性や含水性を発揮し、併せて、湿潤時に好ましい柔軟性や反発弾性を発揮し、しかも、そのポリビニルアセタール系樹脂多孔質体は吸水して湿潤してもぬめりを生じない性質を有している。したがって、この発明のように、ポリビニルアセタール系樹脂多孔質体でなる乾湿可逆性基材を、ネットでなる保持材に包み込み、その保持材に、上記基材を身体の保冷箇所に臨ませるための身体装着機能を持たせてあると、使用時には、基材を水に浸けて吸水させた後、余分な水分を搾り取るだけで直ちに身体に装着して使用することが可能になる。
【０００９】
また、基材を包み込んでいる保持材を形成しているネットが粗目であり、しかも、そのネットが疎水性を有しているために、身体に装着したときに湿った保持材が被服を濡らしたり肌に付着することによる不快感が生じたりしにくいだけでなく、基材にネットの粗目を通して体温が伝わりやすくなって基材を湿潤させている水分の気化が促進されやすくなるので、気化熱による保冷作用が効率よく発揮されるという利点がある。
【００１０】
本発明では、上記基材は、織網物からなる芯地がポリビニルアセタール系樹脂多孔質体によって覆われて一体化された構造を有することが好ましい。これによれば、引張りや引裂きに対する機械的強度が高くなり、破れにくくなる利点がある。
【００１１】
本発明では、上記基材が平板状に形成されて上記保持材に縫着されていることが望ましく、このようにしておくと、使用中に基材が位置ずれして保冷効果が損なわれるという事態が起こらなくなる。
【００１２】
また、本発明では、上記基材が、平板状のポリビニルアセタール系樹脂多孔質体の積層体でなる、という構成を採用することも可能であり、これによれば、基材を平板状のポリビニルアセタール系樹脂多孔質体の単層体（１枚物）によって構成した場合よりも湿潤時の反発弾性が高まり、しかも、基材の含水量も多くなるので、より長時間に亘って保冷作用を持続させることが可能になる。
【００１３】
ところで、乾湿可逆性基材としてのポリビニルアセタール系樹脂多孔質体は、吸水性、含水性に優れると共に湿潤状態で身体の輪郭線に馴染みやすい柔軟性や反発弾性を有する素材であるので、身体に装着して使用する保冷具の基材として有益ではある。しかし、完全に乾燥した状態で水に浸けて吸水させた場合には、湿潤した状態で水に浸けて吸水させた場合よりも吸水速度が遅くなることが判っている。そのため、保管中に完全に乾燥してしまったものを使用するために急いで吸水させたいといった要求がある場合には、基材を水に浸けて吸水させようとしたときに基材の吸水速度が遅いと感じてしまうことがある。
【００１４】
この点に関し、完全に乾燥した基材、すなわち完全に乾燥しきったポリビニルアセタール系樹脂多孔質体の吸水速度を速めるには、ポリビニルアセタール系樹脂多孔質体に界面活性剤を含有又は付着させることが有効であることが特開平７−２７８３４３号公報によって開示されている。
【００１５】
そこで、この発明でも、同公報によって開示されている技術を基材に適用することによって、完全に乾燥しきった基材の吸水速度を速める対策を講じてある。すなわち、この発明では、上記基材が、界面活性剤を含有又は付着させたポリビニルアセタール系樹脂多孔質体でなるという構成を採用することによって基材の吸水速度を速めておくことが有益となる。
【００１６】
本発明で用いる疎水性粗目ネットとしては、たとえばポリエステル、ナイロン、アクリル、ポリエチレン、ポリプロピレンなどの合成繊維からなるネットを適宜選択して使用すればよいが、特に、ポリエステルが強度、肌触りから望ましい。また、水を含ませる場合の容易さや水分の蒸発のし易さから、疎水性粗目ネットの目開きは１ｍｍ以上であることが望ましい。
【００１７】
本発明では、上記保持材の持つ身体装着機能が、その保持材自体の端部によって形成される結束部、その保持材に装備された面状ファスナーなどの止め具、その保持材自体を環状に保形することによって形成される嵌め合わせ部、その保持材に連結された結束紐、その保持材に装備された挟着具から選ばれるいずれかによって発揮されるようになっている、という構成を採用することが可能である。身体装着機能を上記のいずれの手段にするかは、当該保冷具の身体への装着部位などを勘案して適宜選定されるべきである。
【発明の効果】
【００１８】
以上説明したように、本発明によれば、基材にポリビニルアセタール系樹脂多孔質体を用いたことによって、基材が水を吸収しても漏れ出してぬめりを生じることもなく、しかも、十分な含水量が確保されて長時間に亘って保冷効果を持続させることができるようになるので、冒頭で説明した特許文献１に記載されている保冷具のように使用に先立ってぬめりを洗い落とすといった面倒な予備作業を行う必要がなくなり、それだけ使い勝手が向上して使いやすくなるという効果が奏される。また、保持材に疎水性の粗目ネットを使用したことにより、身体への装着感が良好になり、併せて、保冷作用が向上するという利点も得られる。
【００１９】
さらに、界面活性剤を含浸又は付着させたポリビニルアセタール系樹脂多孔質体を基材に用いると、完全な乾燥状態からの吸水速度が速くなって使い勝手がいっそう向上するという効果が得られる。
【発明を実施するための最良の形態】
【００２０】
図１〜図５は本発明の実施形態に係る保冷具の種々の変形例を示した概略正面図、図６は基材の側面図である。
【００２１】
図１〜図５の保冷具Ａでは、乾湿可逆性の基材１をネットでなる保持材２に包み込んでなり、基材１は保持材２に縫着されて位置ずれが防止されている。５は縫着線を示している。保持材２に用いているネットは疎水性の粗目ネットであって、その網目は直径２ｍｍ程度の円形又はそれに見合う大きさの多角形になっている。疎水性とは吸水性に乏しい性質であって、水に浸けた場合に表面が濡れても内部にまでは水が浸透しにくい性質をいう。このような疎水性のネットとしては、たとえばポリエステル、ナイロン、アクリル、あるいはポリプロピレンやポリエチレンなどの化繊を織成したネットがある。基材１は、ポリビニルアセタール系樹脂多孔質体でなり、図例の基材１では、ポリビニルアセタール系樹脂多孔質体を短冊形に成形又は裁断したものが採用されている。そして、保持材２には、基材１を身体の保冷箇所に臨ませるための身体装着機能を持たせてある。この点を次に説明する。
【００２２】
図１〜図５の各保冷具Ａのうち、図１の保冷具Ａは、細長い袋状に縫製した保持材２の中央部に基材１を縫着し、その基材１の配置位置の両側に延びている部分、たとえば保持材２の長手方向の両端部２１，２１を互いに結束することができるようにして上記身体装着機能を持たせてある。したがって、この保冷具Ａは、たとえば身体の首や頭に巻き付けて保持材２の両端部を結束することによって身体に装着され、その際に、基材１がたとえば首の前部や背部、額などに当てがわれる。
【００２３】
図２の保冷具Ａは、細長い袋状に縫製した保持材２の略全体に基材１を縫着し、保持材２に紐２２を通してその紐の両端部を止め具２３によって連結することによって身体装着機能を持たせてある。したがって、この保冷具Ａは、たとえば身体の首や頭に巻き付けて止め具２３の作用で紐２の長さを調節することによって身体に装着され、その際に、基材１がたとえば首の前部や背部、額などに当てがわれる。
【００２４】
図３の保冷具Ａは、三角巾状に縫製した保持材２に略Ｔ字形となるように２つの基材１，１を縫着し、保持材２の両端の耳部２５，２５や頂部２６を結束することができるようにして上記身体装着機能を持たせてある。この保冷具Ａは、たとえばバンダナのように頭に被って後頭部で上記耳部２５，２５や頂部２６を結束することによって身体に装着され、その際に、たとえば、１つの基材１が額に当てがわれ、他の１つの基材１が首の背部などに当てがわれる。
【００２５】
図４の保冷具Ａは、中央部にくびれを持つ滑らかに曲がった輪郭線を備える保持材２の略全体に基材１を縫着し、保持材２に弾力性を備えた欠円形状の挟着具３を通すことによって身体装着機能を持たせてある。したがって、この保冷具Ａは、たとえば挟着具３を耳の上で頭部に巻き付けて挾むことによって身体に装着され、その際に、基材１がたとえば後頭部から首の背部にかけて当てがわれる。
【００２６】
図５の保冷具Ａは、図４の挟着具３の代わりに、円形の伸縮性を備えた帯によって形成した嵌め合わせ部３ａを用いたものである。
【００２７】
図示した以外でも、保持材２の持つ身体装着機能は、保持材に装備された面状ファスナーなどの止め具によって発揮させることも、その保持材自体を環状に保形することによって形成される嵌め合わせ部によって発揮させることも、その保持材に連結された結束紐によって発揮させることも可能である。
【００２８】
乾湿可逆性の基材１にはポリビニルアセタール系樹脂多孔質体（ＰＶＡｔ系樹脂多孔質体）が用いられている。ポリビニルアセタール系樹脂多孔質体は、優れた吸水性や含水性を発揮し、併せて、湿潤時に好ましい柔軟性や反発弾性を発揮するだけでなく、吸水して湿潤してもぬめりを生じない性質を有している。このポリビニルアセタール系樹脂多孔質体は、ポリビニルアルコール、気孔形成剤、架橋剤及び架橋触媒からなる反応液を架橋反応させた後、気孔形成剤を除去することによって製造され、アセタール化度の小さい方が吸水性に優れている。基材１の厚さは１〜２ｍｍ程度でよく、場合によっては図６のように厚さ１〜２ｍｍ程度のポリビニルアセタール系樹脂多孔質体を所要枚数積層して用いることができる。
【００２９】
以上説明した保冷具Ａによると、使用時には、基材１を水に浸けて吸水させた後、余分な水分を搾り取るだけで直ちに身体に装着して使用することが可能になり、冒頭に掲げた特許文献１の保冷具のように発生したぬめりを完全に洗い落とす作業は不要である。また、基材１を包み込んでいる保持材２を形成しているネットが粗目であり、しかも、そのネットが疎水性を有しているために、身体に装着したときに湿った保持材２が被服を濡らしたり肌に付着することによる不快感が生じたりしにくく、しかも、基材１にネットの粗目を通して体温が伝わりやすくなって基材１を湿潤させている水分の気化が促進されやすくなって気化熱による保冷作用が効率よく発揮される。
【００３０】
基材１としてのポリビニルアセタール系樹脂多孔質体に界面活性剤を含有又は付着させておくと、完全に乾燥しきったポリビニルアセタール系樹脂多孔質体の吸水速度が速まる（上記した特開平７−２７８３４３号公報参照）。そこで、この実施形態では、基材１に界面活性剤を含有又は付着させたポリビニルアセタール系樹脂多孔質体を採用して吸水速度を速めてある。そのため、完全に乾燥しきった状態であっても、基材１を水に浸けると１分以内に基材１が十分な湿潤状態になって長時間に亘る保冷作用を発揮するのに十分な吸水量が確保されることが判っている。界面活性剤には、アルキルスルホン酸塩、アルキル硫酸塩などのアニオン界面活性剤、アミン塩、第４アンモニウム塩などのカチオン界面活性剤、ポリオキシエチレンアルキルエーテル、ポリエチレングリコール脂肪酸エステル、ソルビタン脂肪酸エステルなどのノニオン界面活性剤、カルボン酸型やスルホン酸型などの両性界面活性剤を用いることができる。
【００３１】
図１〜図５などを参照して説明したこの実施形態の保冷具Ａでは、身体の保冷すべき箇所に吸水させて湿潤させた基材１を当てがうようにして保持材２を身体に装着しておくことによって、基材１からの水分の気化熱によって保冷作用が発揮される。そのため、たとえば炎天下での農作業のほか、ゴルフなどの屋外スポーツに使用することができるほか、病気発熱に際しての熱さましなどにも好適に用いることができる。
【図面の簡単な説明】
【００３２】
【図１】本発明の実施形態に係る保冷具の概略正面図である。
【図２】実施形態に係る保冷具の変形例の概略正面図である。
【図３】実施形態に係る保冷具の他の変形例の概略正面図である。
【図４】実施形態に係る保冷具のさらに他の変形例の概略正面図である。
【図５】実施形態に係る保冷具のさらに他の変形例の概略正面図である。
【図６】基材の側面図である。
【符号の説明】
【００３３】
Ａ  保冷具
１  基材
２  保持材
【図１】
2006238918.tif 000003
【図２】
2006238918.tif 000004
【図３】
2006238918.tif 000005
【図４】
2006238918.tif 000006
【図５】
2006238918.tif 000007
【図６】
2006238918.tif 000008
【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
平板状のポリビニルアセタール系樹脂多孔質体でなる乾湿可逆性基材の全体が、ポリエステル、ナイロン、アクリル、ポリエチレン又はポリプロピレンから選ばれる合成繊維を織成してなる目開き１ｍｍ以上の疎水性粗目ネットでなる保持材に包み込まれてその保持材に縫着されており、その保持材に、上記基材を身体の保冷箇所に臨ませるための身体装着機能を持たせてあることを特徴とする保冷具。
【請求項２】
上記基材は、織網物からなる芯地がポリビニルアセタール系樹脂多孔質体によって覆われて一体化された構造を有する請求項１に記載した保冷具。
【請求項３】
上記基材が、平板状のポリビニルアセタール系樹脂多孔質体の積層体でなる請求項１又は請求項２に記載した保冷具。
【請求項４】
上記基材が、界面活性剤を含有又は付着させたポリビニルアセタール系樹脂多孔質体でなる請求項１ないし請求項３のいずれか１項に記載した保冷具。
【請求項５】
上記保持材の持つ身体装着機能が、その保持材自体の端部によって形成される結束部、その保持材に装備された面状ファスナーなどの止め具、その保持材自体を環状に保形することによって形成される嵌め合わせ部、その保持材に連結された結束紐、その保持材に装備された挟着具から選ばれるいずれかによって発揮されるようになっている請求項１ないし請求項４のいずれか１項に記載した保冷具。
【手続補正２】
【補正対象書類名】明細書
【補正対象項目名】全文
【補正方法】変更
【補正の内容】
【発明の詳細な説明】
【技術分野】
【０００１】
本発明は、保冷具、特に人の身体の所定部位を避暑したり保冷したりすることに役立つ保冷具に関する。
【背景技術】
【０００２】
従来、この種の保冷具として、頭部に巻き付ける鉢巻きや頭部に被せるバンダナや三角巾に形成した袋部に保水性ポリマーを収納した保冷具が知られていた（特許文献１参照）。この特許文献１に記載されている保冷具は、保水性ポリマーに吸収させた水の気化熱によって身体を保冷するというものであって、身体の所定部位を保冷するのに便利に使用される。
【０００３】
【特許文献１】特開平８−２４７５９３号公報（図１、図２、図３、００１３）
【発明の開示】
【発明が解決しようとする課題】
【０００４】
しかしながら、上掲の特許文献１によって提案されている保冷具に用いられている保水性ポリマーは水を吸収してゲル状になる性質を有していて、それがゲル状になると、機械的強度が低いため圧迫で容易に形崩れを起こしてしまい、袋から漏れ出すおそれが高い。少しでも漏れると鉢巻きやバンダナなどの袋部にぬめりを付着させる。そのため、その保冷具を使用するときには、水に浸けて保水性ポリマーをゲル状にした後、鉢巻きやバンダナなどの袋部に付着したぬめりを完全に洗い落とすという面倒な予備作業を行い、そのような予備作業を行った後で余分な水分を搾り取って身体に装着することが必要になる。そして、ぬめりを完全に洗い落とすという予備作業を行うことが面倒であるために使用すること自体が面倒になり、その使用頻度が少なくなるといったことが懸念される。そこで、袋から漏れ出さないように目の細かい布地を使用すると、水分の蒸発が少なくなり、冷やす効果が著しく低下するおそれがある。
【０００５】
本発明は以上の状況の下でなされたものであり、水を吸収した基材からの気化熱で身体を保冷するという作用を発揮するという点や、その基材を身体装着機能を持った保持材に包み込んであるという点で上掲の特許文献１に記載されている保冷具と軌を一にしているけれども、水を吸収してもゲル状物質が漏れ出すおそれはなく、ぬめりを生じず、しかも、適度に水分が蒸発すると共に十分な含水量が確保されて長時間に亘って保冷効果を持続させることのできる基材を用いることによって、上記したようなぬめりを洗い落とすといった面倒な予備作業を行う必要のない保冷具を提供することを目的とする。
【０００６】
また、本発明は、乾燥している基材に短時間で十分な量の水を吸収させることのできる保冷具を提供することを目的とする。
【課題を解決するための手段】
【０００７】
本発明に係る保冷具は、平板状のポリビニルアセタール系樹脂多孔質体でなる乾湿可逆性基材の全体が、ポリエステル、ナイロン、アクリル、ポリエチレン又はポリプロピレンから選ばれる合成繊維を織成してなる目開き１ｍｍ以上の疎水性粗目ネットでなる保持材に包み込まれてその保持材に縫着されており、その保持材に、上記基材を身体の保冷箇所に臨ませるための身体装着機能を持たせてある。
【０００８】
この構成であると、水を吸収する基材としてのポリビニルアセタール系樹脂多孔質体が、優れた吸水性や含水性を発揮し、併せて、湿潤時に好ましい柔軟性や反発弾性を発揮し、しかも、そのポリビニルアセタール系樹脂多孔質体は吸水して湿潤してもぬめりを生じない性質を有している。したがって、この発明のように、ポリビニルアセタール系樹脂多孔質体でなる乾湿可逆性基材を、ネットでなる保持材に包み込み、その保持材に、上記基材を身体の保冷箇所に臨ませるための身体装着機能を持たせてあると、使用時には、基材を水に浸けて吸水させた後、余分な水分を搾り取るだけで直ちに身体に装着して使用することが可能になる。
【０００９】
また、基材を包み込んでいる保持材を形成しているネットが粗目であり、しかも、そのネットが疎水性を有しているために、身体に装着したときに湿った保持材が被服を濡らしたり肌に付着することによる不快感が生じたりしにくいだけでなく、基材にネットの粗目を通して体温が伝わりやすくなって基材を湿潤させている水分の気化が促進されやすくなるので、気化熱による保冷作用が効率よく発揮されるという利点がある。さらに、上記基材が平板状に形成されて上記保持材に縫着されているために、使用中に基材が位置ずれして保冷効果が損なわれるという事態が起こらなくなる。
【００１０】
本発明では、上記基材は、織網物からなる芯地がポリビニルアセタール系樹脂多孔質体によって覆われて一体化された構造を有することが好ましい。これによれば、引張りや引裂きに対する機械的強度が高くなり、破れにくくなる利点がある。
【００１１】
また、本発明では、上記基材が、平板状のポリビニルアセタール系樹脂多孔質体の積層体でなる、という構成を採用することも可能であり、これによれば、基材を平板状のポリビニルアセタール系樹脂多孔質体の単層体（１枚物）によって構成した場合よりも湿潤時の反発弾性が高まり、しかも、基材の含水量も多くなるので、より長時間に亘って保冷作用を持続させることが可能になる。
【００１２】
ところで、乾湿可逆性基材としてのポリビニルアセタール系樹脂多孔質体は、吸水性、含水性に優れると共に湿潤状態で身体の輪郭線に馴染みやすい柔軟性や反発弾性を有する素材であるので、身体に装着して使用する保冷具の基材として有益ではある。しかし、完全に乾燥した状態で水に浸けて吸水させた場合には、湿潤した状態で水に浸けて吸水させた場合よりも吸水速度が遅くなることが判っている。そのため、保管中に完全に乾燥してしまったものを使用するために急いで吸水させたいといった要求がある場合には、基材を水に浸けて吸水させようとしたときに基材の吸水速度が遅いと感じてしまうことがある。
【００１３】
この点に関し、完全に乾燥した基材、すなわち完全に乾燥しきったポリビニルアセタール系樹脂多孔質体の吸水速度を速めるには、ポリビニルアセタール系樹脂多孔質体に界面活性剤を含有又は付着させることが有効であることが特開平７−２７８３４３号公報によって開示されている。
【００１４】
そこで、この発明でも、同公報によって開示されている技術を基材に適用することによって、完全に乾燥しきった基材の吸水速度を速める対策を講じてある。すなわち、この発明では、上記基材が、界面活性剤を含有又は付着させたポリビニルアセタール系樹脂多孔質体でなるという構成を採用することによって基材の吸水速度を速めておくことが有益となる。
【００１５】
本発明で用いる疎水性粗目ネットとしては、たとえばポリエステル、ナイロン、アクリル、ポリエチレン、ポリプロピレンなどの合成繊維からなるネットを適宜選択して使用すればよいが、特に、ポリエステルが強度、肌触りから望ましい。また、水を含ませる場合の容易さや水分の蒸発のし易さから、疎水性粗目ネットの目開きは１ｍｍ以上であることが望ましい。
【００１６】
本発明では、上記保持材の持つ身体装着機能が、その保持材自体の端部によって形成される結束部、その保持材に装備された面状ファスナーなどの止め具、その保持材自体を環状に保形することによって形成される嵌め合わせ部、その保持材に連結された結束紐、その保持材に装備された挟着具から選ばれるいずれかによって発揮されるようになっている、という構成を採用することが可能である。身体装着機能を上記のいずれの手段にするかは、当該保冷具の身体への装着部位などを勘案して適宜選定されるべきである。
【発明の効果】
【００１７】
以上説明したように、本発明によれば、基材にポリビニルアセタール系樹脂多孔質体を用いたことによって、基材が水を吸収しても漏れ出してぬめりを生じることもなく、しかも、十分な含水量が確保されて長時間に亘って保冷効果を持続させることができるようになるので、冒頭で説明した特許文献１に記載されている保冷具のように使用に先立ってぬめりを洗い落とすといった面倒な予備作業を行う必要がなくなり、それだけ使い勝手が向上して使いやすくなるという効果が奏される。また、保持材に疎水性の粗目ネットを使用したことにより、身体への装着感が良好になり、併せて、保冷作用が向上するという利点も得られる。
【００１８】
さらに、界面活性剤を含浸又は付着させたポリビニルアセタール系樹脂多孔質体を基材に用いると、完全な乾燥状態からの吸水速度が速くなって使い勝手がいっそう向上するという効果が得られる。
【発明を実施するための最良の形態】
【００１９】
図１〜図５は本発明の実施形態に係る保冷具の種々の変形例を示した概略正面図、図６は基材の側面図である。
【００２０】
図１〜図５の保冷具Ａでは、乾湿可逆性の基材１をネットでなる保持材２に包み込んでなり、基材１は保持材２に縫着されて位置ずれが防止されている。５は縫着線を示している。保持材２に用いているネットは疎水性の粗目ネットであって、その網目は直径２ｍｍ程度の円形又はそれに見合う大きさの多角形になっている。疎水性とは吸水性に乏しい性質であって、水に浸けた場合に表面が濡れても内部にまでは水が浸透しにくい性質をいう。このような疎水性のネットとしては、たとえばポリエステル、ナイロン、アクリル、あるいはポリプロピレンやポリエチレンなどの化繊を織成したネットがある。基材１は、ポリビニルアセタール系樹脂多孔質体でなり、図例の基材１では、ポリビニルアセタール系樹脂多孔質体を短冊形に成形又は裁断したものが採用されている。そして、保持材２には、基材１を身体の保冷箇所に臨ませるための身体装着機能を持たせてある。この点を次に説明する。
【００２１】
図１〜図５の各保冷具Ａのうち、図１の保冷具Ａは、細長い袋状に縫製した保持材２の中央部に基材１を縫着し、その基材１の配置位置の両側に延びている部分、たとえば保持材２の長手方向の両端部２１，２１を互いに結束することができるようにして上記身体装着機能を持たせてある。したがって、この保冷具Ａは、たとえば身体の首や頭に巻き付けて保持材２の両端部を結束することによって身体に装着され、その際に、基材１がたとえば首の前部や背部、額などに当てがわれる。
【００２２】
図２の保冷具Ａは、細長い袋状に縫製した保持材２の略全体に基材１を縫着し、保持材２に紐２２を通してその紐の両端部を止め具２３によって連結することによって身体装着機能を持たせてある。したがって、この保冷具Ａは、たとえば身体の首や頭に巻き付けて止め具２３の作用で紐２の長さを調節することによって身体に装着され、その際に、基材１がたとえば首の前部や背部、額などに当てがわれる。
【００２３】
図３の保冷具Ａは、三角巾状に縫製した保持材２に略Ｔ字形となるように２つの基材１，１を縫着し、保持材２の両端の耳部２５，２５や頂部２６を結束することができるようにして上記身体装着機能を持たせてある。この保冷具Ａは、たとえばバンダナのように頭に被って後頭部で上記耳部２５，２５や頂部２６を結束することによって身体に装着され、その際に、たとえば、１つの基材１が額に当てがわれ、他の１つの基材１が首の背部などに当てがわれる。
【００２４】
図４の保冷具Ａは、中央部にくびれを持つ滑らかに曲がった輪郭線を備える保持材２の略全体に基材１を縫着し、保持材２に弾力性を備えた欠円形状の挟着具３を通すことによって身体装着機能を持たせてある。したがって、この保冷具Ａは、たとえば挟着具３を耳の上で頭部に巻き付けて挾むことによって身体に装着され、その際に、基材１がたとえば後頭部から首の背部にかけて当てがわれる。
【００２５】
図５の保冷具Ａは、図４の挟着具３の代わりに、円形の伸縮性を備えた帯によって形成した嵌め合わせ部３ａを用いたものである。
【００２６】
図示した以外でも、保持材２の持つ身体装着機能は、保持材に装備された面状ファスナーなどの止め具によって発揮させることも、その保持材自体を環状に保形することによって形成される嵌め合わせ部によって発揮させることも、その保持材に連結された結束紐によって発揮させることも可能である。
【００２７】
乾湿可逆性の基材１にはポリビニルアセタール系樹脂多孔質体（ＰＶＡｔ系樹脂多孔質体）が用いられている。ポリビニルアセタール系樹脂多孔質体は、優れた吸水性や含水性を発揮し、併せて、湿潤時に好ましい柔軟性や反発弾性を発揮するだけでなく、吸水して湿潤してもぬめりを生じない性質を有している。このポリビニルアセタール系樹脂多孔質体は、ポリビニルアルコール、気孔形成剤、架橋剤及び架橋触媒からなる反応液を架橋反応させた後、気孔形成剤を除去することによって製造され、アセタール化度の小さい方が吸水性に優れている。基材１の厚さは１〜２ｍｍ程度でよく、場合によっては図６のように厚さ１〜２ｍｍ程度のポリビニルアセタール系樹脂多孔質体を所要枚数積層して用いることができる。
【００２８】
以上説明した保冷具Ａによると、使用時には、基材１を水に浸けて吸水させた後、余分な水分を搾り取るだけで直ちに身体に装着して使用することが可能になり、冒頭に掲げた特許文献１の保冷具のように発生したぬめりを完全に洗い落とす作業は不要である。また、基材１を包み込んでいる保持材２を形成しているネットが粗目であり、しかも、そのネットが疎水性を有しているために、身体に装着したときに湿った保持材２が被服を濡らしたり肌に付着することによる不快感が生じたりしにくく、しかも、基材１にネットの粗目を通して体温が伝わりやすくなって基材１を湿潤させている水分の気化が促進されやすくなって気化熱による保冷作用が効率よく発揮される。
【００２９】
基材１としてのポリビニルアセタール系樹脂多孔質体に界面活性剤を含有又は付着させておくと、完全に乾燥しきったポリビニルアセタール系樹脂多孔質体の吸水速度が速まる（上記した特開平７−２７８３４３号公報参照）。そこで、この実施形態では、基材１に界面活性剤を含有又は付着させたポリビニルアセタール系樹脂多孔質体を採用して吸水速度を速めてある。そのため、完全に乾燥しきった状態であっても、基材１を水に浸けると１分以内に基材１が十分な湿潤状態になって長時間に亘る保冷作用を発揮するのに十分な吸水量が確保されることが判っている。界面活性剤には、アルキルスルホン酸塩、アルキル硫酸塩などのアニオン界面活性剤、アミン塩、第４アンモニウム塩などのカチオン界面活性剤、ポリオキシエチレンアルキルエーテル、ポリエチレングリコール脂肪酸エステル、ソルビタン脂肪酸エステルなどのノニオン界面活性剤、カルボン酸型やスルホン酸型などの両性界面活性剤を用いることができる。
【００３０】
図１〜図５などを参照して説明したこの実施形態の保冷具Ａでは、身体の保冷すべき箇所に吸水させて湿潤させた基材１を当てがうようにして保持材２を身体に装着しておくことによって、基材１からの水分の気化熱によって保冷作用が発揮される。そのため、たとえば炎天下での農作業のほか、ゴルフなどの屋外スポーツに使用することができるほか、病気発熱に際しての熱さましなどにも好適に用いることができる。
【図面の簡単な説明】
【００３１】
【図１】本発明の実施形態に係る保冷具の概略正面図である。
【図２】実施形態に係る保冷具の変形例の概略正面図である。
【図３】実施形態に係る保冷具の他の変形例の概略正面図である。
【図４】実施形態に係る保冷具のさらに他の変形例の概略正面図である。
【図５】実施形態に係る保冷具のさらに他の変形例の概略正面図である。
【図６】基材の側面図である。
【符号の説明】
【００３２】
Ａ  保冷具
１  基材
２  保持材